(57)【要約】【課題】アンテナの水平角を自在に設定しながら金具全体の小型化を図ることができるアンテナ取付金具を提供すること。【解決手段】アンテナ６が取付けられる第１金具１と、第１金具１に連結されアンテナ取付箇所に取付けられる第２金具２とを有し、第１金具１の第１上側連結板部１１および第１下側連結板部１２のボルト孔１１ｂ，１２ｂと、第２金具２の第２上側連結板部２１および第２下側連結板部２２のボルト孔２１ｂ，２２ｂが湾曲した長孔であり、もう一つのボルト孔がそれより長さの短い短孔１１ａ，１２ａ、２１ａ,２２ａであり、第１金具１の長孔１１ｂ，１２ｂと第２金具２の短孔２１ａ,２２ａ、および第１金具１の短孔１１ａ,１２ａと第２金具２の長孔２１ｂ，２２ｂの位置が合うように第１金具１と第２金具２の長孔と短孔とを設けた。【選択図】図１１
2016025500.tif 000002
【特許請求の範囲】
【請求項１】
アンテナを取付けるためのアンテナ取付金具であって、
アンテナが取付けられる第１金具と、その第１金具に連結されアンテナ取付箇所に取付けられる第２金具とを有し、
前記第１金具は、
水平方向に所定間隔を離して２箇所ボルト孔が形成され、前記第２金具と任意の水平角度で連結される第１側連結板部と、
アンテナが取付けられるアンテナ取付部とを有する一方、
前記第２金具は、
前記第１金具の第１側連結板部における２箇所のボルト孔と孔の位置を任意の角度で合わせるため水平方向に所定間隔を離して２箇所ボルト孔が形成され、前記第１金具と任意の水平角度で連結される第２側連結板部と、
第２側連結板部の基部側に設けられ、壁面等の平面に取り付けるための平面取付部とを有し、
前記第１側連結板部の２箇所のボルト孔と、前記第２側連結板部の２箇所のボルト孔のうち少なくとも一つのボルト孔が長孔である一方、もう一つのボルト孔がその長孔よりも短い短孔であって、
前記第１側連結板部の長孔と前記第２側連結板部の短孔、および前記第１側連結板部の短孔と前記第２側連結板部の長孔の位置が合うようにそれぞれ長孔と短孔が設けられていることを特徴とするアンテナ取付金具。
【請求項２】
請求項１または請求項２に記載のアンテナ取付金具において、
前記第１側連結板部の２箇所のボルト孔と、前記第２側連結板部の２箇所のボルト孔は、それぞれ、前記第１側連結板部と前記第２側連結板部の中央と先端側とに所定間隔だけ離間して設けられており、
前記第１側連結板部の２箇所のボルト孔および前記第２側連結板部の２箇所のボルト孔のうち中央のボルト孔は、所定の半径で湾曲した形状の長孔である一方、前記第１側連結板部の２箇所のボルト孔および前記第２側連結板部の２箇所のボルト孔のうち先端側のボルト孔は、前記湾曲した長孔よりも長さの短い短孔であって、
前記第１側連結板部の長孔と前記第２側連結板部の短孔、および前記第１側連結板部の短孔と前記第２側連結板部の長孔の位置が合うようにそれぞれ長孔と短孔が設けられていることを特徴とするアンテナ取付金具。
【請求項３】
請求項１または請求項２に記載のアンテナ取付金具において、
前記第１側連結板部の２箇所のボルト孔と、前記第２側連結板部の２箇所のボルト孔は、それぞれ、前記第１側連結板部と前記第２側連結板部の左右両側に所定間隔だけ離間して設けられており、
前記第１側連結板部の２箇所のボルト孔および前記第２側連結板部の２箇所のボルト孔のうち左右いずれか一方側のボルト孔は、所定の半径で湾曲した形状の長孔である一方、他方側のボルト孔は、前記湾曲した長孔よりも長さの短い短孔であって、
前記第１側連結板部の長孔と前記第２側連結板部の短孔、および前記第１側連結板部の短孔と前記第２側連結板部の長孔の位置が合うようにそれぞれ長孔と短孔が設けられていることを特徴とするアンテナ取付金具。
【請求項４】
請求項１〜請求項３のいずれか一の請求項に記載のアンテナ取付金具において、
前記第１金具のアンテナ取付部は、
第１側連結板部の基端側に所定間隔を離間して設けられた一対の平面取付部の両側にそれぞれ設けられている一方、
前記第２金具の平面取付部は、
第２側連結板部の基端側に所定間隔を離間して一対設けられており、
前記第１金具の一対の平面取付部の間と、前記第２金具の一対の平面取付部の間には、それぞれ、支柱の外周面に対し少なくとも２点以上で当接するように凹部が形成されている一方、
前記第１金具の一対の平面取付部と、前記第２金具の一対の平面取付部のそれぞれ対向する面には、前記第１金具の凹部と前記第２金具の凹部で支柱の外周面をその両側から挟持して締結するためのボルト孔がそれぞれ設けられていることを特徴とするアンテナ取付金具。
【請求項５】
請求項１〜請求項４のいずれか一の請求項に記載のアンテナ取付金具において、
前記第１金具のアンテナ取付部には、
仰角調整金具を介して前記アンテナの仰角を調整しながら取付ける仰角調整用のボルト孔が設けられていることを特徴とするアンテナ取付金具。
【発明の詳細な説明】
【技術分野】
【０００１】
本発明は、壁面等の平面や支柱等の湾曲面に対して水平角を自在に設定しながらアンテナを取付けるためのアンテナ取付金具に関する。
【背景技術】
【０００２】
近年、携帯電話やモバイル通信等の発展により、携帯電話やモバイル通信等のアンテナを用いた基地局を数多く設置することが要求されており、当該基地局のカバーするエリアの調整等のため、アンテナの水平角を大きく設定できるようにしたアンテナ取付金具を提案している（例えば、特許文献１参照。）。
【先行技術文献】
【特許文献】
【０００３】
【特許文献１】特開２０１２−３４０８７号公報
【発明の概要】
【発明が解決しようとする課題】
【０００４】
しかし、前述の従来のアンテナ取付金具では、一組の２個の金具それぞれの一つの丸孔のボルト孔を重ね、そのボルト孔を中心にして回転させて水平角を設定するため、一の回転軸を中心とする円周上に所定の角度に応じたボルト孔を設ける必要があり、大きな水平角を設定した場合は、金具の大型化が顕著となり、コスト高となる問題がある。
【０００５】
また、前述の従来のアンテナ取付金具では、電柱等の支柱に対しては取り付けることができるものの、壁面などの平面には取り付けることができない、という問題点もある。
【０００６】
そこで、本発明はこのような問題に着目してなされたもので、第１には、なるべく取付けスペースが少なくて済み、金具全体の小型化を図ることができ、第２には、支柱等の湾曲面のみならず壁面等の平面に対してもアンテナを取付けることができるアンテナ取付金具を提供することを目的とする。
【課題を解決するための手段】
【０００７】
上記課題を解決するため、本発明に係るアンテナ取付金具は、アンテナを取付けるためのアンテナ取付金具であって、アンテナが取付けられる第１金具と、その第１金具に連結されアンテナ取付箇所に取付けられる第２金具とを有し、前記第１金具は、水平方向に所定間隔を離して２箇所ボルト孔が形成され、前記第２金具と任意の水平角度で連結される第１側連結板部と、アンテナが取付けられるアンテナ取付部とを有する一方、前記第２金具は、前記第１金具の第１側連結板部における２箇所のボルト孔と孔の位置を任意の角度で合わせるため水平方向に所定間隔を離して２箇所ボルト孔が形成され、前記第１金具と任意の水平角度で連結される第２側連結板部と、第２側連結板部の基部側に設けられ、壁面等の平面に取り付けるための平面取付部とを有し、前記第１側連結板部の２箇所のボルト孔と、前記第２側連結板部の２箇所のボルト孔のうち少なくとも一つのボルト孔が長孔である一方、もう一つのボルト孔がその長孔よりも短い短孔であって、前記第１側連結板部の長孔と前記第２側連結板部の短孔、および前記第１側連結板部の短孔と前記第２側連結板部の長孔の位置が合うようにそれぞれ長孔と短孔が設けられていることを特徴とする。
ここで、前記第１側連結板部の２箇所のボルト孔と、前記第２側連結板部の２箇所のボルト孔は、それぞれ、前記第１側連結板部と前記第２側連結板部の中央と先端側とに所定間隔だけ離間して設けられており、前記第１側連結板部の２箇所のボルト孔および前記第２側連結板部の２箇所のボルト孔のうち中央のボルト孔は、所定の半径で湾曲した形状の長孔である一方、前記第１側連結板部の２箇所のボルト孔および前記第２側連結板部の２箇所のボルト孔のうち先端側のボルト孔は、前記湾曲した長孔よりも長さの短い短孔であって、前記第１側連結板部の長孔と前記第２側連結板部の短孔、および前記第１側連結板部の短孔と前記第２側連結板部の長孔の位置が合うようにそれぞれ長孔と短孔が設けられていると良い。
また、前記第１側連結板部の２箇所のボルト孔と、前記第２側連結板部の２箇所のボルト孔は、それぞれ、前記第１側連結板部と前記第２側連結板部の左右両側に所定間隔だけ離間して設けられており、前記第１側連結板部の２箇所のボルト孔および前記第２側連結板部の２箇所のボルト孔のうち左右いずれか一方側のボルト孔は、所定の半径で湾曲した形状の長孔である一方、他方側のボルト孔は、前記湾曲した長孔よりも長さの短い短孔であって、前記第１側連結板部の長孔と前記第２側連結板部の短孔、および前記第１側連結板部の短孔と前記第２側連結板部の長孔の位置が合うようにそれぞれ長孔と短孔が設けられていると良い。
また、前記第１金具のアンテナ取付部は、第１側連結板部の基端側に所定間隔を離間して設けられた一対の基板部の両側にそれぞれ設けられている一方、前記第２金具の平面取付部は、第２側連結板部の基端側に所定間隔を離間して一対設けられており、前記第１金具の一対の基板部の間と、前記第２金具の一対の平面取付部の間には、それぞれ、支柱の外周面に対し少なくとも２点以上で当接するように凹部が形成されている一方、前記第１金具の一対の基板部と、前記第２金具の一対の平面取付部のそれぞれ対向する面には、前記第１金具の凹部と前記第２金具の凹部で支柱の外周面をその両側から挟持して締結するためのボルト孔がそれぞれ設けられているとさらに良い。
また、前記第１金具のアンテナ取付部には、仰角調整金具を介して前記アンテナの仰角を調整しながら取付ける仰角調整用のボルト孔が設けられているとさらに良い。
【発明の効果】
【０００８】
本発明に係るアンテナ取付金具の第１の特徴によれば、第１金具と第２金具とを有し、第１金具の長孔と第２金具の短孔、および第１金具の短孔と第２金具の長孔の位置が合うように第１金具と第２金具の長孔と短孔とを設けたため、角度を設定する際の回転中心が２箇所になり、その２箇所を中心に回転して異なる円周（軌道）を描く第１金具の長孔と第２金具の長孔の２段階で所定の角度を調整する。
そのため、１つのボルトを回転中心として同一の円周（軌道）を描く２つの長孔で所定角度をまかなう場合と比較して、金具全体を小型化することができる。
また、本発明に係るアンテナ取付金具の第２の特徴によれば、アンテナを電柱や支柱等に対して取り付けることができるだけでなく、壁面などの平面にも取り付けることができるので、使用勝手を向上させることができる。
【図面の簡単な説明】
【０００９】
【図１】本発明に係る実施の形態１のアンテナ取付金具を使用してアンテナを壁面に取付けた場合の斜視図である。
【図２】実施の形態１のアンテナ取付金具を使用してアンテナを支柱に取付けた場合の斜視図である。
【図３】（ａ），（ｂ）それぞれ実施の形態１のアンテナ取付金具を構成する第１金具の平面図、底面図である。
【図４】（ａ），（ｂ）それぞれ実施の形態１のアンテナ取付金具を構成する第１金具の正面図、右側面図である。
【図５】（ａ），（ｂ）それぞれ実施の形態１のアンテナ取付金具を構成する第２金具の平面図、底面図である。
【図６】（ａ），（ｂ）それぞれ実施の形態１のアンテナ取付金具を構成する第１金具の正面図、右側面図である。
【図７】（ａ）〜（ｃ）それぞれ、本発明に係るアンテナ取付金具を構成する仰角設定金具の平面図、正面図、右側面図である。
【図８】本発明に係る実施の形態１のアンテナ取付金具を使用してアンテナを壁面に取付けた場合の平面図である。
【図９】本発明に係る実施の形態１のアンテナ取付金具を使用してアンテナを壁面に取付けた場合の正面図である。
【図１０】本発明に係る実施の形態１のアンテナ取付金具を使用してアンテナを壁面に取付けた場合において仰角設定金具を使用して仰角を設定した場合の正面図である。
【図１１】本発明に係る実施の形態１のアンテナ取付金具を使用してアンテナを壁面に取付けた場合において最大の水平角を設定した場合の平面図である。
【図１２】本発明に係る実施の形態１のアンテナ取付金具を使用してアンテナを支柱に取付けた場合の平面図である。
【図１３】本発明に係る実施の形態１のアンテナ取付金具を使用してアンテナを支柱に取付けた場合の正面図である。
【図１４】本発明に係る実施の形態１のアンテナ取付金具を使用してアンテナを支柱に取付けた場合において仰角設定金具を使用して仰角を設定した場合の正面図である。
【図１５】（ａ）〜（ｃ）それぞれ実施の形態２のアンテナ取付金具を構成する第１金具の平面図、正面図、右側面図である。
【図１６】（ａ）〜（ｃ）それぞれ実施の形態２のアンテナ取付金具を構成する第２金具の平面図、正面図、右側面図である。
【図１７】本発明に係る実施の形態２のアンテナ取付金具を使用してアンテナを壁面に取付けた場合の平面図である。
【図１８】本発明に係る実施の形態２のアンテナ取付金具を使用してアンテナを支柱に取付けた場合の正面図である。
【発明を実施するための形態】
【００１０】
実施の形態１．
まず、本発明に係るアンテナ取付金具の実施の形態１について、図面を参照して説明する。
【００１１】
＜アンテナ取付金具の構成＞
本発明に係るアンテナ取付金具は、図１に示すように壁面４等の平面や、図２に示すように支柱５等の湾曲面に対して水平角を自在に設定しながらアンテナ６を取付けるためのもので、図３および図４に示す第１金具１と、図５および図６に示す第２金具２と、図７に示す仰角設定金具３とを備えている。
【００１２】
第１金具１は、図３および図４に示すように第１上側連結板部１１と、第１下側連結板部１２と、第１上側連結板部１１と第１下側連結板部１２とを連結する左右一対の基板部１３，１３とを備える。
【００１３】
第１上側連結板部１１には、図３（ａ）に示すように、先端側にはボルトが挿入される短孔１１ａが形成されている一方、ほぼ中央には湾曲した形状の長孔１１ｂが形成されている。また、基端側の左右一対の基板部１３，１３との間には、後述する支柱５等を取り付けるための凹部１１ｃが設けられている。
【００１４】
第１下側連結板部１２には、図３（ｂ）に示すように、先端側にはボルトが挿入される短孔１２ａが形成されている一方、ほぼ中央には湾曲した形状の長孔１２ｂが形成されている。また、基端側の左右一対の基板部１３，１３との間には、後述する支柱５等を取り付けるための凹部１２ｃが設けられている。
【００１５】
ここで、第１上側連結板部１１の短孔１１ａが第１下側連結板部１２の短孔１２ａよりも若干長いのは、第１金具１と第２金具２の連結にいわゆるボルトの頭部がＴ字形状のＴボルト７ａ，８ａを使用し、第１上側連結板部１１の短孔１１ａにそのＴボルト７ａの頭部が嵌るためである。
【００１６】
また、左右一対の基板部１３，１３には、それぞれ、壁面４等の平面や、図２に示すように支柱５等の湾曲面に対しボルト等により取り付けるためのボルト孔１３ａが設けられている一方、その外側にはほぼ９０度曲げられて延びるアンテナ取付部１３ｂが設けられている。そしてこのアンテナ取付部１３ｂには、仰角設定金具３を連結するための２つの仰角設定金具用ボルト孔１３ｂ１が設けられている。
【００１７】
一方、第２金具２は、図５および図６に示すように第２上側連結板部２１と、第２下側連結板部２２と、第２上側連結板部２１と第２下側連結板部２２とを連結すると共に、壁面４等の平面に取付けるための左右一対の平面取付部２３，２３とを備える。
【００１８】
第２上側連結板部２１には、図５（ａ）に示すように、先端側にはボルトが挿入される短孔２１ａが形成されている一方、ほぼ中央には湾曲した形状の長孔２１ｂが形成されている。また、基端側の平面取付部２３,２３の間には、後述する支柱５等を取り付けるための凹部２１ｃが設けられている。
【００１９】
第２下側連結板部２２にも、図５（ｂ）に示すように、先端側にはボルトが挿入される角根ボルト固定用の短孔２２ａが形成されている一方、先端側と平面取付部２３,２３が連続する基端側との間にボルトが挿入される湾曲した形状の長孔２２ｂが形成されている。また、基端側の平面取付部２３,２３との間には、後述する支柱５等を取り付けるための凹部２２ｃが設けられている。
【００２０】
ここで、第２上側連結板部２１の短孔２１ａが第２下側連結板部１２の短孔２２ａよりも若干長いのは、上述したように第１金具１と第２金具２の連結にいわゆるボルトの頭部がＴ字形状のＴボルト７ａ，８ａを使用し、第２上側連結板部１１の短孔２１ａにそのＴボルト８ａの頭部が嵌るためである。
【００２１】
左右一対の平面取付部２３，２３は、それぞれ、図６（ｂ）に示すように壁面４等の平面や、図２に示すように支柱５等の湾曲面に対しボルト等により取り付ける際に使用するボルト孔２３ａが設けられている。
【００２２】
また、仰角設定金具３は、図７（ａ）に示すように一対の両側面３１，３１と、その両側面３１，３１を中継する中継側面３２とから構成されており、一対の両側面３１，３１には、図７（ｂ）に示すようにそれぞれ、角根ボルトが挿入され、仰角設定の際、回転中心となる回転中心ボルト孔３１ａと、仰角設定のため湾曲した形状の長孔３１ｂが仰角調整用のボルト孔として設けられている。
【００２３】
また、仰角設定金具３の中継側面３２には、アンテナ６（図１等参照。）を取り付けるための複数のネジ孔３２ａが設けられている。
【００２４】
次に、以上のように構成された実施の形態１のアンテナ取付金具の使用方法について説明する。
【００２５】
＜壁面４等の平面へのアンテナ取付金具の取付け＞
図８〜図１０は、それぞれ、このアンテナ取付金具を利用して壁面４にアンテナ６を取付けた状態を示す平面図、仰角設定なしの正面図、仰角設定ありの正面図である。
【００２６】
この場合、第１金具１の短孔１１ａと、第２金具２の長孔１２ｂとが対向してＴボルト７ａが挿入されてナット７ｂにより締結される一方、第１金具１の湾曲した長孔１１ｂと、第２金具２の短孔１２ａとが対向してＴボルト８ａが挿入されてナット８ｂにより締結される。
【００２７】
そのため、水平角を最大限設定するため図１１に示すように第１金具１を大きな角度を設定させても、２本のＴボルト７ａ，８ａそれぞれが回転中心になり、異なる円周（軌道）を描く第１金具１の長孔１１ｂ，１２ｂと、第２金具の長孔２１ｂ，２２ｂとがそれぞれ２段階で調整するので、１つのボルトを回転中心として同一の円周（軌道）を描く２つの長孔で所定角度をまかなう場合と比較して、金具全体を小型化することができる。
【００２８】
＜支柱５へのアンテナ取付金具の取付け＞
図１２〜図１５は、それぞれ、このアンテナ取付金具を利用して支柱５にアンテナ６を取付けた状態を示す平面図、仰角設定なしの正面図、仰角設定ありの正面図である。
【００２９】
この場合、図１２に示すように、第１金具１の基端側の基板部１３，１３間の凹部１１ｃ，１２ｃと、第２金具２の基端側の平面取付部２３，２３間の凹部２１ｃ，２２ｃとで支柱５を挟むことになる。
【００３０】
その際、支柱５の外周面へは、図１２に示すように第１金具１の左右一対の基板部１３，１３それぞれの内側端部と、第２金具２の左右一対の平面取付部２３，２３それぞれの内側端部とが鋭角的に当接することになる。
【００３１】
そして、支柱５へのアンテナ取付金具の取付けの場合には、支柱５の断面形状が円筒形であるため、各締結ボルト５ａとナット５ｂとの締結を緩めて、支柱５に対しアンテナ取付金具全体を回転させることにより、アンテナ６の水平角を調整することができる。
【００３２】
このように、実施の形態１のアンテナ取付金具によれば、壁面４等の平面にアンテナ６を取付けることも可能であると共に、支柱５等の湾曲面へアンテナ６を取付けることもできる。
【００３３】
従って、実施の形態１のアンテナ取付金具によれば、第１金具１と第２金具２とを有し、第１金具１の第１上側連結板部１１および第１下側連結板部１２のボルト孔１１ｂ，１２ｂと、第２金具２の第２上側連結板部２１および第２下側連結板部２２のボルト孔２１ｂ，２２ｂが湾曲した長孔であり、もう一つのボルト孔がそれより長さの短い短孔１１ａ，１２ａ、２１ａ,２２ａであって、第１金具１の長孔１１ｂ，１２ｂと第２金具２の短孔２１ａ,２２ａ、および第１金具１の短孔１１ａ,１２ａと第２金具２の長孔２１ｂ，２２ｂの位置が合うように第１金具１と第２金具２の長孔と短孔とを設けたため、角度を設定する際の回転中心が２箇所になって、異なる円周（軌道）を描く第１金具１の長孔１１ｂ，１２ｂと、第２金具の長孔２１ｂ，２２ｂとがそれぞれ２段階で所定角度をまかなうことになる。
【００３４】
そのため、１つのボルトを回転中心として同一の円周（軌道）を描く２つの長孔で所定角度をまかなう場合と比較して、アンテナ６の水平角を自在に設定しながら金具全体の小型化を図ることができる。
【００３５】
また、実施の形態１のアンテナ取付金具によれば、図２や図１２〜図１４に示すように支柱５等に対しては取り付けることができるだけでなく、図１や図８〜図１１に示すように壁面４などの平面にも取り付けることができるため、使用勝手を向上させることができると共に、支柱５用と壁面４などの平面用に共用できるため、コストを削減することができる。
【００３６】
実施の形態２．
次に、本発明に係るアンテナ取付金具の実施の形態２について、図面を参照して説明する。
【００３７】
図１５（ａ）〜（ｃ）は、それぞれ、実施の形態２のアンテナ取付金具を構成する第１金具１’の平面図、正面図、右側面図であり、図１６（ａ）〜（ｃ）は、それぞれ、実施の形態２のアンテナ取付金具を構成する第２金具２’の平面図、正面図、右側面図である。
【００３８】
図３〜図６に示す実施の形態１のアンテナ取付金具を構成する第１金具１および第２金具２と比較すると明らかであるが、実施の形態２の第１金具１’では、第１上側連結板部１１’および第１下側連結板部１２’には、それぞれ左右両側、すなわち図１５上、上側にそれぞれ湾曲した長孔１１ｂ’，１２ｂ’が形成されている一方、下側に短孔１１ａ’，１１ｂ’が形成されている。尚、それ以外の構成は、実施の形態１の第１金具１’と同じであるので、同じ符号を付して説明を省略する。
【００３９】
一方、実施の形態２の第１金具２’では、第２上側連結板部２１’および第２上側連結板部２２’には、それぞれ左右両側、すなわち図１６上、上側にそれぞれ短孔２１ａ’，２１ｂ’が形成されている一方、下側に湾曲した長孔２１ｂ’，２２ｂ’が形成されている。尚、それ以外の構成は、実施の形態１の第１金具２’と同じであるので、同じ符号を付して説明を省略する。
【００４０】
そのため、この実施の形態２のアンテナ取付金具を使用して、アンテナ６を壁面４等の平面に取付けた場合は、図１７に示すような状態になる一方、第１金具１’の短孔１１ａ’，１２ａ’と第２金具２’の長孔２１ｂ’２２ｂ’とが対向してＴボルト７ａが挿入されてナット７ｂにより締結される一方、第１金具１’の長孔１１ｂ’，１２ｂ’と第２金具２’の短孔２１ａ’２２ａ’とが対向してＴボルト８ａが挿入されてナット８ｂにより締結される。
【００４１】
そのため、水平角を最大限設定させても、実施の形態１のアンテナ取付金具と同様に、２本のＴボルト７ａおよびＴボルト８ａそれぞれが回転中心となるので、上述の従来技術と比較して広い取付けスペースが不要になり、結果として金具全体を小型化することができる。
【００４２】
また、実施の形態２のアンテナ取付金具を利用して支柱５にアンテナ６を取付けた場合は、図１８に示すようになり、実施の形態１のアンテナ取付金具の場合と同様に、第１金具１および第２金具２の長孔１１ｂ’，１２ｂ’、２１ｂ’，２２ｂ’や、短孔１１ａ’，１１ｂ’、２１ａ’，２１ｂ’は使用しない。
【００４３】
このように、実施の形態２のアンテナ取付金具によっても、壁面４等の平面にアンテナ６を取付けることも可能であると共に、支柱５等の湾曲面へアンテナ６を取付けることもできる。
【００４４】
従って、実施の形態２のアンテナ取付金具によっても、実施の形態１のアンテナ取付金具と同様に、第１金具１’と第２金具２’の長孔１１ｂ’，１２ｂ’、２１ｂ’，２２ｂ’と短孔１１ａ’，１１ｂ’、２１ａ’，２１ｂ’を設けたため、１つのボルトを回転中心として同一の円周（軌道）を描く２つの長孔で所定角度をまかなう場合と比較してアンテナ６の水平角を自在に設定しながら金具全体の小型化を図ることができると共に、支柱５および壁面４などの平面にも取り付けることができるため、使用勝手を向上させることができると共に、コストを削減することができる。
【００４５】
なお、上記実施の形態１のアンテナ取付金具では、第１金具１の短孔１１ａ，１２ａおよび長孔１１ｂ，１２ｂと、第２金具２の短孔２１ａ，２２ａおよび長孔２１ｂ，２２ｂをそれぞれ第１側連結板部１１，１２と第２側連結板部２１，２２の先端側と中央とに所定間隔だけ離間して対称的に設ける一方、実施の形態２のアンテナ取付金具では、第１金具１’の短孔１１ａ’，１２ａ’および長孔１１ｂ’，１２ｂ’と、第２金具２’の短孔２１ａ’，２２ａ’および長孔２１ｂ’，２２ｂ’をそれぞれ第１側連結板部１１’，１２’と第２側連結板部２１’，２２’の左右両側（図１５（ａ）および図１６（ａ）上、上下方向）に所定間隔だけ離間して対称的に設けて説明したが、本発明では、第１金具の長孔と第２金具の短孔、および第１金具の短孔と第２金具の長孔がそれぞれ合うように対称的に設ければ十分であり、第１側連結板部と第２側連結板部の斜め方向に短孔と長孔とを設けるようにしても勿論良い。
【符号の説明】
【００４６】
１，１’  第１金具
１１，１１’  第１上側連結板部
１１ａ，１１ａ’  短孔
１１ｂ，１１ｂ’  長孔
１２，１２’  第１下側連結板部
１２ａ，１２ａ’  短孔
１２ｂ，１２ｂ’  長孔
１３  基板部
１３ｂ  アンテナ取付部
２，２’  第２金具
２１  第２上側連結板部
２１ａ，２１ａ’  短孔
２１ｂ，２１ｂ’  長孔
２２  第２下側連結板部
２２ａ，２２ａ’  短孔
２２ｂ，２２ｂ’  長孔
２３  平面取付部
３  仰角設定金具
４  壁面
５  支柱
６  アンテナ
【図１】
2016025500.tif 000003
【図２】
2016025500.tif 000004
【図３】
2016025500.tif 000005
【図４】
2016025500.tif 000006
【図５】
2016025500.tif 000007
【図６】
2016025500.tif 000008
【図７】
2016025500.tif 000009
【図８】
2016025500.tif 000010
【図９】
2016025500.tif 000011
【図１０】
2016025500.tif 000012
【図１１】
2016025500.tif 000013
【図１２】
2016025500.tif 000014
【図１３】
2016025500.tif 000015
【図１４】
2016025500.tif 000016
【図１５】
2016025500.tif 000017
【図１６】
2016025500.tif 000018
【図１７】
2016025500.tif 000019
【図１８】
2016025500.tif 000020